(57)【要約】【課題】  適用されるＬＥＤユニットの高さが多種多様であっても、前記ＬＥＤユニットを保持する枠体に固定される支持片を単一の寸法とすることが可能なＬＥＤ照明装置を提供する。【解決手段】  開口部５１と、挿通孔５２１および第１係合部５２２が形成された側部５２と、を有する枠体５と、互いに反対側を向く主面６０１および裏面６０２を有し、かつ第２係合部６１２が形成された、枠体５を支持させるための支持片６０と、枠体５に固定されたソケット５９に接続されたＬＥＤユニットＢと、を備え、支持片６０は、挿通孔５２１に挿通された締結部材６９により、裏面６０２が側部５２に接し、かつ第１係合部５２２と第２係合部６１２とが互いに係合する状態で枠体５に固定されている。【選択図】  図１
2017084518.tif 000002
【特許請求の範囲】
【請求項１】
開口部と、挿通孔および第１係合部が形成された側部と、を有する枠体と、
互いに反対側を向く主面および裏面を有し、かつ第２係合部が形成された、前記枠体を支持させるための支持片と、
前記枠体に固定されたソケットに接続されたＬＥＤユニットと、を備え、
前記支持片は、前記挿通孔に挿通された締結部材により、前記裏面が前記側部に接し、かつ前記第１係合部と前記第２係合部とが互いに係合する状態で前記枠体に固定されていることを特徴とする、ＬＥＤ照明装置。
【請求項２】
前記第１係合部は、前記挿通孔を挟んだ両側に形成されている、請求項１に記載のＬＥＤ照明装置。
【請求項３】
前記第１係合部は、前記挿通孔とともに鉛直方向に沿って形成されている、請求項２に記載のＬＥＤ照明装置。
【請求項４】
前記第１係合部は、前記挿通孔に対して前記開口部から離間する方向に形成されている、請求項１に記載のＬＥＤ照明装置。
【請求項５】
前記第１係合部は、前記挿通孔に対して前記開口部に近づく方向に形成されている、請求項１に記載のＬＥＤ照明装置。
【請求項６】
前記第１係合部の形状は、前記枠体の外側に突出した凸型状である、請求項２ないし５のいずれかに記載のＬＥＤ照明装置。
【請求項７】
前記第１係合部の形状は、前記枠体の内側に窪んだ凹型状である、請求項２ないし５のいずれかに記載のＬＥＤ照明装置。
【請求項８】
前記第１係合部は、貫通した孔である、請求項２ないし５のいずれかに記載のＬＥＤ照明装置。
【請求項９】
前記第２係合部は、貫通した孔である、請求項６に記載のＬＥＤ照明装置。
【請求項１０】
前記第２係合部の形状は、前記主面から突出した凸型状である、請求項６に記載のＬＥＤ照明装置。
【請求項１１】
前記第２係合部の形状は、前記主面から窪んだ凹型状である、請求項７または８に記載のＬＥＤ照明装置。
【請求項１２】
前記第２係合部の側面視形状は、円形状である、請求項９ないし１１のいずれかに記載のＬＥＤ照明装置。
【請求項１３】
前記第２係合部の側面視形状は、矩形状である、請求項１０または１１に記載のＬＥＤ照明装置。
【請求項１４】
前記第２係合部は、前記支持片の幅全体にわたって形成されている、請求項１３に記載のＬＥＤ照明装置。
【請求項１５】
前記締結部材は、リベットである、請求項１ないし１４のいずれかに記載のＬＥＤ照明装置。
【請求項１６】
前記締結部材は、ボルトおよびナットである、請求項１ないし１４のいずれかに記載のＬＥＤ照明装置。
【請求項１７】
前記挿通孔は、前記側部において正対するように一対形成されている、請求項１ないし１６のいずれかに記載のＬＥＤ照明装置。
【請求項１８】
前記開口部の平面視形状は、円形状である、請求項１ないし１７のいずれかに記載のＬＥＤ照明装置。
【請求項１９】
前記ＬＥＤユニットの平面視形状は、円形状である請求項１８に記載のＬＥＤ照明装置。
【請求項２０】
前記枠体は、前記開口部に沿って形成された環状のフランジをさらに有する、請求項１８または１９に記載のＬＥＤ照明装置。
【請求項２１】
前記支持片は、弾性変形する板ばねからなり、板ばねの構成要素となる前記支持片の支点が、前記フランジに係合している、請求項２０に記載のＬＥＤ照明装置。
【請求項２２】
外部に設置された電力供給線と、前記ＬＥＤユニットとを相互に接続する端子部をさらに備える、請求項１ないし２１のいずれかに記載のＬＥＤ照明装置。
【請求項２３】
前記枠体は、前記開口部とは反対側に位置する底板部をさらに有し、前記端子部は、前記底板部に固定されている、請求項２２に記載のＬＥＤ照明装置。
【発明の詳細な説明】
【技術分野】
【０００１】
本発明は、天井背後などに埋設されるダウンライトを構成するＬＥＤ照明装置に関する。
【背景技術】
【０００２】
天井背後などに埋設されるダウンライトを構成するＬＥＤ照明装置は、ＬＥＤユニット（ランプ）と、該ＬＥＤユニットを保持する枠体と、該枠体に固定された弾性体である支持片（取付ばね）とによって、天井などに設けられた取り付け穴に埋設して取り付けられる形式が一般的である。該形式においては、前記支持片は、たとえば特許文献１に開示されているように、前記枠体の底板に前記支持片の上端部が固定されている。前記支持片は、前記枠体の側部に沿って下方に延出し、前記枠体の下端近傍から側方に向かって展開している。前記支持片の下端部は、下方に向かって屈曲している。
【０００３】
このようなダウンライト形式のＬＥＤ照明装置の取り付けにあたっては、前記支持片を前記枠体の側部に沿わせて折りたたみ、前記支持片の下端部を前記取り付け穴の周縁に引っ掛けて吊り下げることができるようになっている。この状態からＬＥＤ照明装置を前記取り付け穴の背後へ押し込むと、前記支持片が弾性力により側方に向かって展開し、前記支持片が天井などの背面に接触することで取り付けが完了する。
【０００４】
ここで、ＬＥＤユニットについて、薄型化を図ったものや、放熱性能を高めるため背高の放熱部が設けられたものなど、多種多様に存在する。よって、適用されるＬＥＤユニットの高さに応じて、ＬＥＤユニットを保持する枠体の高さも変化させる必要があり、このとき支持片の長さもあわせて変化させる必要がある。よって、多種多様のＬＥＤユニットに対応すべく、枠体のみならず支持片の寸法もその都度、変化させなければならないという問題がある。
【先行技術文献】
【特許文献】
【０００５】
【特許文献１】特開２０１３−２６０１１号公報
【発明の概要】
【発明が解決しようとする課題】
【０００６】
本発明は上記事情に鑑み、適用されるＬＥＤユニットの高さが多種多様であっても、前記ＬＥＤユニットを保持する枠体に固定される支持片を単一の寸法とすることが可能なＬＥＤ照明装置を提供することをその課題とする。
【課題を解決するための手段】
【０００７】
本発明によって提供されるＬＥＤ照明装置は、開口部と、挿通孔および第１係合部が形成された側部と、を有する枠体と、互いに反対側を向く主面および裏面を有し、かつ第２係合部が形成された、前記枠体を支持させるための支持片と、前記枠体に固定されたソケットに接続されたＬＥＤユニットと、を備え、前記支持片は、前記挿通孔に挿通された締結部材により、前記裏面が前記側部に接し、かつ前記第１係合部と前記第２係合部とが互いに係合する状態で前記枠体に固定されていることを特徴としている。
【０００８】
本発明の実施の形態において好ましくは、前記第１係合部は、前記挿通孔を挟んだ両側に形成されている。
【０００９】
本発明の実施の形態において好ましくは、前記第１係合部は、前記挿通孔とともに鉛直方向に沿って形成されている。
【００１０】
本発明の実施の形態において好ましくは、前記第１係合部は、前記挿通孔に対して前記開口部から離間する方向に形成されている。
【００１１】
本発明の実施の形態において好ましくは、前記第１係合部は、前記挿通孔に対して前記開口部に近づく方向に形成されている。
【００１２】
本発明の実施の形態において好ましくは、前記第１係合部の形状は、前記枠体の外側に突出した凸型状である。
【００１３】
本発明の実施の形態において好ましくは、前記第１係合部の形状は、前記枠体の内側に窪んだ凹型状である。
【００１４】
本発明の実施の形態において好ましくは、前記第１係合部は、貫通した孔である。
【００１５】
本発明の実施の形態において好ましくは、前記第２係合部は、貫通した孔である。
【００１６】
本発明の実施の形態において好ましくは、前記第２係合部の形状は、前記主面から突出した凸型状である。
【００１７】
本発明の実施の形態において好ましくは、前記第２係合部の形状は、前記主面から窪んだ凹型状である。
【００１８】
本発明の実施の形態において好ましくは、前記第２係合部の側面視形状は、円形状である。
【００１９】
本発明の実施の形態において好ましくは、前記第２係合部の側面視形状は、矩形状である。
【００２０】
本発明の実施の形態において好ましくは、前記第２係合部は、前記支持片の幅全体にわたって形成されている。
【００２１】
本発明の実施の形態において好ましくは、前記締結部材は、リベットである。
【００２２】
本発明の実施の形態において好ましくは、前記締結部材は、ボルトおよびナットである。
【００２３】
本発明の実施の形態において好ましくは、前記挿通孔は、前記側部において正対するように一対形成されている。
【００２４】
本発明の実施の形態において好ましくは、前記開口部の平面視形状は、円形状である。
【００２５】
本発明の実施の形態において好ましくは、前記ＬＥＤユニットの平面視形状は、円形状である。
【００２６】
本発明の実施の形態において好ましくは、前記枠体は、前記開口部に沿って形成された環状のフランジをさらに有する。
【００２７】
本発明の実施の形態において好ましくは、前記支持片は、弾性変形する板ばねからなり、板ばねの構成要素となる前記支持片の支点が、前記フランジに係合している。
【００２８】
本発明の実施の形態において好ましくは、外部に設置された電力供給線と、前記ＬＥＤユニットとを相互に接続する端子部をさらに備える。
【００２９】
本発明の実施の形態において好ましくは、前記枠体は、前記開口部とは反対側に位置する底板部をさらに有し、前記端子部は、前記底板部に固定されている。
【発明の効果】
【００３０】
本発明によれば、ＬＥＤユニットを保持する枠体の側部に挿通孔および第１係合部が形成され、前記枠体を天井背面などに支持させるための支持片に第２係合部が形成されているので、適用されるＬＥＤユニットの高さが多種多様であっても、前記ＬＥＤユニットを保持する前記枠体に固定される前記支持片を単一の寸法とすることが可能となる。
【００３１】
本発明のその他の特徴および利点は、添付図面に基づき以下に行う詳細な説明によって、より明らかとなろう。
【図面の簡単な説明】
【００３２】
【図１】本発明の実施形態にかかるＬＥＤ照明装置の断面図である。
【図２】図１に示すＬＥＤ照明装置の平面図である。
【図３】図１に示すＬＥＤ照明装置の底面図である。
【図４】（ａ）は図１に示すＬＥＤ照明装置の側面図で、（ｂ）は図１の部分拡大図である。
【図５】（ａ）〜（ｃ）は図１に示すＬＥＤ照明装置Ａ１０の側面図である。
【図６】天井に取り付けられた図１に示すＬＥＤ照明装置の斜視図である。
【図７】図１に示すＬＥＤ照明装置のＬＥＤユニットの平面図である。
【図８】図７に示すＬＥＤユニットの側面図である。
【図９】図７に示すＬＥＤユニットの底面図である。
【図１０】図７のＸ−Ｘ線に沿う断面図である。
【図１１】図７に示すＬＥＤユニットの要部拡大断面図である。
【図１２】図７に示すＬＥＤユニットのＬＥＤ発光部の平面図である。
【図１３】図１２のＸＩＩＩ−ＸＩＩＩ線に沿う断面図である。
【図１４】図１２に示すＬＥＤ発光部の要部拡大平面図である（封止樹脂およびホルダを省略）。
【図１５】（ａ）は本発明の実施形態の第１変形例にかかるＬＥＤ照明装置の側面図で、（ｂ）は該ＬＥＤ照明装置の部分拡大断面図である。
【図１６】（ａ）は本発明の実施形態の第２変形例にかかるＬＥＤ照明装置の側面図で、（ｂ）は該ＬＥＤ照明装置の部分拡大断面図である。
【図１７】（ａ）は本発明の実施形態の第３変形例にかかるＬＥＤ照明装置の側面図で、（ｂ）は該ＬＥＤ照明装置の部分拡大断面図である。
【図１８】（ａ）は本発明の実施形態の第４変形例にかかるＬＥＤ照明装置の側面図で、（ｂ）は該ＬＥＤ照明装置の部分拡大断面図である。
【図１９】（ａ）は本発明の実施形態の第５変形例にかかるＬＥＤ照明装置の側面図で、（ｂ）は該ＬＥＤ照明装置の部分拡大断面図である。
【図２０】（ａ）は本発明の実施形態の第６変形例にかかるＬＥＤ照明装置の側面図で、（ｂ）は該ＬＥＤ照明装置の部分拡大断面図である。
【発明を実施するための形態】
【００３３】
本発明を実施するための形態（以下「実施形態」という。）について、添付図面に基づいて説明する。
【００３４】
図１〜図６に基づき、本発明の実施形態にかかるＬＥＤ照明装置Ａ１０について説明する。これらの図に示すＬＥＤ照明装置Ａ１０は、ダウンライトを構成する。本実施形態にかかるＬＥＤ照明装置Ａ１０は、ＬＥＤユニットＢ、枠体５、ソケット５９、支持片６０、締結部材６９、端子部７および電力ケーブル７１を備えている。
【００３５】
図１は、ＬＥＤ照明装置Ａ１０の断面図である。図２は、ＬＥＤ照明装置Ａ１０の平面図である。図３は、ＬＥＤ照明装置Ａ１０の底面図である。図４（ａ）は、ＬＥＤ照明装置Ａ１０の側面図で、図４（ｂ）は、図１の部分拡大図である。図５（ａ）〜（ｃ）は、ＬＥＤ照明装置Ａ１０の側面図である。図６は、天井Ｃに取り付けられたＬＥＤ照明装置Ａ１０の斜視図である。
【００３６】
ＬＥＤユニットＢは、ＬＥＤ照明装置Ａ１０の本体部を構成し、ＬＥＤ照明装置Ａ１０の光源となる部分である。なお、説明の便宜上、ＬＥＤユニットＢの具体的な構成は後述にて説明する。
【００３７】
枠体５は、たとえばアルミダイキャストにより成型された、ＬＥＤユニットＢを収容かつ保持する部材である。枠体５は、開口部５１、側部５２および底板部５３を有する。開口部５１は、図２に示すように、枠体５において開口している部分である。開口部５１より、ＬＥＤユニットＢが露出している。本実施形態においては、開口部５１の平面視形状は円形状である。また、本実施形態においては、枠体５は、開口部５１に沿って形成された環状のフランジ５１１を有する。
【００３８】
側部５２は、図１および図４（ａ）に示す上部が鉛直方向に沿って起立し、図１および図４（ａ）に示す下部が開口部５１に向かってテーパが付された、開口部５１およびＬＥＤユニットＢを囲む部分である。図１および図４（ｂ）に示すように、側部５２には、挿通孔５２１および第１係合部５２２が形成されている。本実施形態においては、挿通孔５２１は、側部５２において正対するように一対形成されている。また、それぞれの挿通孔５２１を挟んだ両側に、かつ挿通孔５２１とともに鉛直方向に沿って第１係合部５２２が形成されている。本実施形態においては、第１係合部５２２の形状は枠体５の外側に突出した凸型状で、かつ第１係合部５２２の側面視形状は円形状である。
【００３９】
底板部５３は、図１および図３に示すように、開口部５１とは反対側に位置し、かつ枠体５の底を塞ぐ部分である。本実施形態においては、底板部５３の平面視形状は円形状である。枠体５において、底板部５３の内側にソケット５９が固定されている。ソケット５９に、ＬＥＤユニットＢが接続されている。本実施形態においては、ソケット５９は、ＩＥＣ（国際電気標準会議）規格のＧＸ５３型の口金が接続可能となるように構成されている。
【００４０】
支持片６０は、図１および図６に示すように、ＬＥＤユニットＢが接続された枠体５を天井Ｃの背面に支持させるための部材である。支持片６０は、互いに反対側を向く主面６０１および裏面６０２を有する。また、支持片６０は、上端部６１、支点６２、翼部６３および下端部６４を有する。本実施形態においては、支持片６０は一対の薄板の鋼部材であり、かつそれぞれが弾性変形する帯状の板ばねからなる。
【００４１】
上端部６１は、図１および図４（ａ）に示すように、側部５２に沿って開口部５１に向かって延出した部分である。図４（ｂ）に示すように、上端部６１には、支持片挿通孔６１１および第２係合部６１２が形成されている。本実施形態においては、支持片挿通孔６１１を挟んだ両側に、かつ支持片挿通孔６１１とともに鉛直方向に沿って第２係合部６１２が形成されている。また、本実施形態においては、第２係合部６１２は貫通した孔であり、かつ該孔の側面視形状は円形状である。
【００４２】
支点６２は、図１に示すように、上端部６１と翼部６３との境界となる屈曲部である。支点６２は、支持片６０が板ばねとして機能を発揮するための構成要素となる。本実施形態においては、支点６２は、フランジ５１１に係合している。
【００４３】
翼部６３は、図１および図２に示すように、支点６２からＬＥＤ照明装置Ａ１０の側方に向かって展開した部分である。翼部６３の先端に下端部６４が形成されている。下端部６４は、図１および図２に示すように、支点６２寄りに屈曲した部分である。ＬＥＤ照明装置Ａ１０を天井Ｃに取り付けるとき、下端部６４の形状は、天井Ｃに形成された取り付け穴の周縁に引っ掛けてＬＥＤ照明装置Ａ１０を吊り下げることができるようになっている。
【００４４】
支持片６０を枠体５に固定するときは、図４（ｂ）に示すように、支持片挿通孔６１１および挿通孔５２１に締結部材６９を挿通させる。本実施形態においては、締結部材６９はリベットである。このとき、挿通孔５２１に挿通された締結部材６９により、裏面６０２が側部５２に接し、かつ第１係合部５２２と第２係合部６１２が互いに係合する状態となる。したがって、第２係合部６１２は、第１係合部５２２が形成された位置に対応するように形成されている。なお、締結部材６９はボルトおよびナットであってもよい。
【００４５】
第１係合部５２２および第２係合部６１２の形成にかかる形態としては、本実施形態以外に図５（ａ）〜（ｃ）に示す形態をとることができる。図５（ａ）は、第１係合部５２２および第２係合部６１２が、挿通孔５２１に対して開口部５１から離間する方向（底板部５３に近づく方向）に形成された形態を示している。図５（ｂ）は、第１係合部５２２および第２係合部６１２が、挿通孔５２１に対して開口部５１に近づく方向（底板部５３に近づく方向）に形成された形態を示している。図５（ｃ）は、第１係合部５２２および第２係合部６１２が、挿通孔５２１を挟んだ両側に、かつ挿通孔５２１とともに水平方向に沿って形成された形態を示している。
【００４６】
端子部７は、図３および図４（ａ）に示すように、底板部５３の外側に固定された部分である。端子部７は、外部に設置された電力供給線（図示略）と、ＬＥＤユニットＢとを相互に接続する。また、端子部７とソケット５９とを接続する電力ケーブル７１が枠体５に配置されている。
【００４７】
［ＬＥＤユニットＢの構成について］
次に、図７〜図１４に基づき、ＬＥＤ照明装置Ａ１０を構成するＬＥＤユニットＢの具体的な構成について説明する。本実施形態のＬＥＤユニットＢは、ケース１、ＬＥＤ発光部２、カバー３および電源部４を備えている。本実施形態においては、ＬＥＤユニットＢは、高さが相対的に低い略円柱状であり、ＬＥＤユニットＢの平面視形状は円形状である。
【００４８】
図７は、ＬＥＤユニットＢの平面図である。図８は、ＬＥＤユニットＢの側面図である。図９は、ＬＥＤユニットＢの底面図である。図１０は、図７のＸ−Ｘ線に沿う断面図である。図１１は、ＬＥＤユニットＢの要部拡大断面図である。
【００４９】
ケース１は、ＬＥＤ発光部２、カバー３および電源部４を収容もしくは保持するものである。本実施形態においては、ケース１は、放熱部材１１、絶縁部材１２および中間ブラケット１５からなる。本実施形態においては、ケース１は、平面視円形状である。
【００５０】
放熱部材１１は、ＬＥＤ発光部２からの熱を放散することが意図された部材であり、たとえばアルミなどの金属からなる。放熱部材１１は、搭載面１１１、複数のフィン１１２および係合部１１３を有する。搭載面１１１は、ＬＥＤ発光部２からの光を出射させる出射方向（図１０における図中上方）を向いており、円形の略平面である。複数のフィン１１２は、ＬＥＤ発光部２からの熱の放散を促進するためのものであり、放熱部材１１の外周部分全周にわたって設けられている。フィン１１２は、ＬＥＤユニットＢの軸方向および径方向に対して平行である。係合部１１３は、搭載面１１１を取り囲む円環状の部分である。係合部１１３は、カバー３の取り付けに用いられる。
【００５１】
絶縁部材１２は、放熱部材１１に対して前記出射方向とは反対側に取り付けられており、本実施形態においては、平面視円形状である。絶縁部材１２は、絶縁性材料からなり、本実施形態においては、たとえばポリブチレンテレフタレート（ＰＢＴ）樹脂からなる。絶縁部材１２は、凸部１２１を有している。凸部１２１は、前記出射方向とは反対側に突出する円柱形状部分である。図８に示すように、凸部１２１には、溝部１２２が形成されている。溝部１２２は、前記軸方向に延びる部分と、これに続いて前記周方向に延びる部分とを有している。また、絶縁部材１２には、２つのピン１３が設けられている。２つのピン１３は、凸部１２１を挟んで前記径方向において互いに反対側に位置しており、前記出射方向とは反対側に突出している。この凸部１２１と２つのピン１３とによって口金１４が構成されている。口金１４は、ＬＥＤユニットＢをソケット５９に接続するためのものであり、本実施形態においてはＩＥＣ規格のＧＸ５３型である。ＬＥＤユニットＢをソケット５９に接続したとき、２つのピン１３がソケット５９に係合する。
【００５２】
中間ブラケット１５は、放熱部材１１と絶縁部材１２との間に設けられている。中間ブラケット１５は、絶縁性材料からなり、本実施形態においては、たとえばポリブチレンテレフタレート（ＰＢＴ）樹脂からなる。中間ブラケット１５は、２つのピン１３および電源部４の固定保持や、２つのピン１３、ＬＥＤ発光部２および電源部４を接続する配線などを保持する機能を果たす。
【００５３】
ＬＥＤ発光部２は、ＬＥＤユニットＢの光源をなす部分である。図１２〜図１４に示すように、ＬＥＤ発光部２は、ＬＥＤ基板２１、複数のＬＥＤチップ２２、封止樹脂２４、堰部２５およびホルダ２６を備えている。図１２は、ＬＥＤ発光部２の平面図である。図１３は、図１２のＸＩＩＩ−ＸＩＩＩ線に沿う断面図である。図１４は、ＬＥＤ発光部２の要部拡大平面図であり、理解の便宜上、後述する封止樹脂２４およびホルダ２６を省略している。
【００５４】
図１２に示すように、ＬＥＤ基板２１は、たとえば平面視矩形状であり、複数のＬＥＤチップ２２が搭載されている。ＬＥＤ基板２１の構成は特に限定されないが、本実施形態においては、基材２１１および配線パターン２１２を有している。ＬＥＤ基板２１の平面視寸法は、たとえば約１２×１５ｍｍである。
【００５５】
基材２１１は、絶縁性材料からなり、熱伝導率が高められたガラスエポキシ樹脂やセラミックスからなる。配線パターン２１２は、複数のＬＥＤチップ２２を実装し、かつこれらのＬＥＤチップ２２への導通経路を構成する。配線パターン２１２は、金属のメッキ層からなり、たとえばＣｕ，Ｎｉ，ＡｕまたはＡｇなどからなる。本実施形態においては、配線パターン２１２は、２６個の複数のＬＥＤチップ２２を搭載するためのボンディングパッドと、ホルダ２６との導通をとるための２つの接続パッドとを有する。前記２つの接続パッドは、図１４において複数のＬＥＤチップ２２を挟んでＬＥＤ基板２１の対角線方向に離間配置された矩形状部分である。
【００５６】
複数のＬＥＤチップ２２は、ＬＥＤ発光部２の発光要素である。ＬＥＤチップ２２は、たとえばＧａＮからなる半導体層を有しており、たとえば青色光を発する。本実施形態においては、２６個のＬＥＤチップ２２がＬＥＤ基板２１に搭載されている。これらのＬＥＤチップ２２は、略マトリクス状に配置されている。ＬＥＤチップ２２は、いわゆる２ワイヤタイプのＬＥＤチップである。本実施形態においては、隣り合うＬＥＤチップ２２どうしが、ワイヤ２３によって直接接続されている。さらに、本実施形態においては、すべてのＬＥＤチップ２２が互いに直列に接続されている。これらのＬＥＤチップ２２は、配線パターン２１２の前記２つの接続パッドの間において直接に接続されている。複数のＬＥＤチップ２２の配列ピッチは、たとえば１．０〜１．７ｍｍである。
【００５７】
堰部２５は、ＬＥＤ基板２１上に形成されており、複数のＬＥＤチップ２２を囲んでいうる。本実施形態においては、堰部２５は、平面視において矩形環状とされており、たとえば白色のエポキシ樹脂からなる。堰部２５の高さは、ＬＥＤチップ２２よりも高い。
【００５８】
封止樹脂２４は、複数のＬＥＤチップ２２を覆っており、堰部２５によって囲まれた領域に充填されている。封止樹脂２４は、たとえばシリコーン樹脂あるいはエポキシ樹脂などの透明な樹脂に、蛍光材料が混入された材質からなる。この蛍光材料は、ＬＥＤチップ２２からの青色光によって励起されることにより黄色光を発する。また、ＬＥＤチップ２２からの青色光によって励起されることにより、赤色光を発する蛍光材料と緑色光を発する蛍光材料とを混ぜて用いてもよい。これにより、ＬＥＤ発光部２からは、電球色、昼光色などの白色光が発せられる。
【００５９】
ホルダ２６は、ＬＥＤ基板２１を放熱部材１１の搭載面１１１に対して固定保持するためのものである。ホルダ２６は、本体２６１および２つの保持電極２６２を有している。本体２６１は、たとえば絶縁性の樹脂からなり、図１２および図１３に示すように、平面視寸法がＬＥＤ基板２１よりも大とされている。また、複数のＬＥＤチップ２２を覆う封止樹脂２４を露出させるように、本体２６１は、その中央部分が開口している。２つの保持電極２６２は、ＬＥＤ基板２１の配線パターン２１２の前記２つの接続パッドに各々が接触している。２つの保持電極２６２は、ホルダ２６に設けられた図示しない２つの外部接続端子と導通している。これらの外部接続端子は、電源部４に導通している。ホルダ２６の放熱部材１１への取り付けは、ねじや嵌合などによってなされる。
【００６０】
カバー３は、ケース１に対して前記出射方向に位置するように取り付けられている。カバー３は、ＬＥＤ発光部２からの光を透過させる。また、本実施形態においては、カバー３は、ＬＥＤ発光部２からの光を拡散させつつ透過させる。カバー３の材質としては、透光性を有する樹脂またはガラスに拡散材を混入した材質が挙げられる。このような構成により、カバー３は、たとえば乳白色を呈する。
【００６１】
カバー３は、本実施形態においては、平面視円形状であり、内側表面３１０、外側表面３２０、側面３４０および係合部３２を有している。
【００６２】
内側表面３１０は、ＬＥＤ発光部２側に位置しており、ケース１の放熱部材１１の搭載面１１１と正対している。内側表面３１０は、内側凹面３１１および内側環状面３１２を有している。本実施形態においては、内側表面３１０は、平面視円形状である。
【００６３】
内側表面３１０は、ＬＥＤ発光部２から離間する側（図１０における図中上側）に凹んでいる。本実施形態においては、内側表面３１０は、平面視円形状である。また、内側凹面３１１は、ＬＥＤ発光部２に正対している。さらに、内側凹面３１１は、ＬＥＤ発光部２の発光領域を構成する封止樹脂２４よりも平面視寸法が大であり、平面視において封止樹脂２４を内包している。内側凹面３１１は、図１１に示すように、平滑な鏡面仕上げとされている。本実施形態の内側凹面３１１は、平面視においてＬＥＤ発光部２の発光領域である封止樹脂２４よりも大であり、前記発光領域を内包している。
【００６４】
内側凹面３１１は、内側凹面３１１を囲んでおり、本実施形態においては、平面視円形状である。内側環状面３１２は、図１０に示すように、搭載面１１１と平行な平面とされている。また、内側環状面３１２は、図１１に示すように、内側凹面３１１と同じく平滑な鏡面仕上げとされている。
【００６５】
外側表面３２０は、内側表面３１０とは反対側に位置しており、平面視円形状である。本実施形態においては、外側表面３２０は、ＬＥＤ発光部２から離間する側（図１０における図中上側）に膨出した形状である。外側表面３２０の曲率半径は、内側凹面３１１の曲率半径よりも大である。外側表面３２０は、全体が図１１に示す凹凸状に仕上げられている。この凹凸状の形態は、外側表面３２０から出射する光を適度に拡散させる効果を奏しうるものであり、いわゆるシボ面と称されるものである。
【００６６】
側面３４０は、内側表面３１０と外側表面３２０とが離間する方向に沿っており、断面円形状の曲面である。係合部３２は、カバー３の外周端に設けられており、ケース１の放熱部材１１の１１３と係合することにより、カバー３をケース１に取り付ける機能を果たす。
【００６７】
なお、本実施形態によるカバー３の形状は、ＬＥＤ発光部２から出射された光を偏りなく拡散させる作用を図ったものであり、カバー３の形状は該形態にかかわらず多種多様の形状をとることができる。
【００６８】
電源部４は、たとえば商用の１００Ｖ交流電力をＬＥＤ発光部２の複数のＬＥＤチップ２２を点灯させるのに適した直流電力に変換するものである。電源部４は、絶縁部材１２の凸部１２１に収容されている。
【００６９】
本実施形態の電源部４は、電源基板４１および複数の電子部品４２からなる。
【００７０】
電源基板４１は、電源部４の土台となるものであり、複数の電子部品４２を支持している。また、複数の電子部品４２どうしを適宜導通させる導通経路を有する。
【００７１】
複数の電子部品４２は、電源部４の機能を実現するための電源回路を構成する要素である。複数の電子部品４２の種類や仕様は特に限定されないが、代表的なものとして、トランス、コンデンサ、抵抗器およびダイオードなどが挙げられる。
【００７２】
電源部４には、ＬＥＤケーブル４８および電源ケーブル４９が接続されている。ＬＥＤケーブル４８は、電源部４からＬＥＤ発光部２へと電力を供給するものであり、電源部４とＬＥＤ発光部２とに接続されている。電源ケーブル４９は、外部から受けた電力を電源部４へと導くものであり、電源部４とケース１のピン１３とに接続されている。
【００７３】
次に、ＬＥＤ照明装置Ａ１０の作用効果について説明する。
【００７４】
本実施形態によれば、ＬＥＤユニットＢを保持する枠体５の側部５２に挿通孔５２１および第１係合部５２２が形成され、枠体５を天井Ｃの背面に支持させるための支持片６０に第２係合部６１２が形成されている。この場合において、締結部材６９を挿通孔５２１に挿通させることにより支持片６０を枠体５に固定したとき、第１係合部５２２と第２係合部６１２が互いに係合する。このような支持片６０の固定手段をとることで、側部５２の高さが変化しても、挿通孔５２１および第１係合部５２２の形成位置を調整することで、単一寸法の支持片６０によって枠体５を天井Ｃの背面に支持させることができ、かつ精度よく支持片６０を枠体５に固定することができる。したがって、適用されるＬＥＤユニットＢの高さが多種多様であっても、ＬＥＤユニットＢを保持する枠体５に固定される支持片６０を単一の寸法とすることが可能となる。
【００７５】
支持片６０を固定する場合において支持片６０を枠体５に接触させたとき、第１係合部５２２と第２係合部６１２とが互いに係合する。これにより、支持片６０の固定作業中に支持片６０がずれることを防止することができるとともに、一つの支持片６０に対して一つの締結部材６９で足りるため、部品点数の削減を図ることができる。
【００７６】
第１係合部５２２は、挿通孔５２１を挟んだ両側に、かつ挿通孔５２１とともに鉛直方向に沿って形成されている。これにより、ＬＥＤ照明装置Ａ１０の使用時において、支持片６０が締結部材６９の軸心回りに回転することを抑止することができる。
【００７７】
枠体５は、開口部５１に沿って形成された環状のフランジ５１１を有する。このような構成をとることで、ＬＥＤ照明装置Ａ１０を天井Ｃに取り付けたとき、図６に示すように、フランジ５１１が天井Ｃの表面に係合するストッパとしての機能を果たし、枠体５が過度に天井Ｃの背後に埋設されることを防止できる。
【００７８】
支持片６０の支点６２がフランジ５１１に係合するように支持片６０が枠体５に固定されることで、ＬＥＤ照明装置Ａ１０の取り付けのために支持片６０を折り曲げたとき、支点６２がずれないため、上端部６１に負荷がかからず、かつ支持片６０が安定した状態となる。
【００７９】
図１５〜図２０は、本発明にかかるＬＥＤ照明装置Ａ１０の各変形例を示している。これらの変形例は、いずれも第１係合部５２２および第２係合部６１２の形状を、ＬＥＤ照明装置Ａ１０に対して変更したものである。なお、これらの図において、先述したＬＥＤ照明装置Ａ１０と同一または類似の要素には同一の符号を付して、重複する説明を省略することとする。
【００８０】
〔第１変形例〕
図１５に基づき、本発明の第１変形例にかかるＬＥＤ照明装置Ａ１１について説明する。図１５（ａ）は、ＬＥＤ照明装置Ａ１１の側面図で、図１５（ｂ）は、ＬＥＤ照明装置Ａ１１の部分拡大図である。なお、図１５（ｂ）の断面位置は図４（ｂ）と同一である。
【００８１】
本変形例のＬＥＤ照明装置Ａ１１は、第２係合部６１２の形状が、先述したＬＥＤ照明装置Ａ１０と異なる。本変形例においては、第２係合部６１２の形状は主面６０１から突出した凸型状であり、かつ第２係合部６１２の側面視形状は円形状である。なお、第１係合部５２２の形状は、ＬＥＤ照明装置Ａ１０と同一である。
【００８２】
本変形例によっても、ＬＥＤ照明装置Ａ１０と同様の作用効果を奏する。
【００８３】
〔第２変形例〕
図１６に基づき、本発明の第２変形例にかかるＬＥＤ照明装置Ａ１２について説明する。図１６（ａ）は、ＬＥＤ照明装置Ａ１２の側面図で、図１６（ｂ）は、ＬＥＤ照明装置Ａ１２の部分拡大図である。なお、図１６（ｂ）の断面位置は図４（ｂ）と同一である。
【００８４】
本変形例のＬＥＤ照明装置Ａ１２は、第１係合部５２２および第２係合部６１２の形状が、先述したＬＥＤ照明装置Ａ１０と異なる。本変形例においては、第１係合部５２２の形状は枠体５の内側に窪んだ凹型状であり、かつ第１係合部５２２の側面視形状は円形状である。また、第２係合部６１２の形状は主面６０１から窪んだ凹型状であり、かつ第２係合部６１２の側面視形状は円形状である。
【００８５】
本変形例によっても、ＬＥＤ照明装置Ａ１０と同様の作用効果を奏する。
【００８６】
〔第３変形例〕
図１７に基づき、本発明の第３変形例にかかるＬＥＤ照明装置Ａ１３について説明する。図１７（ａ）は、ＬＥＤ照明装置Ａ１３の側面図で、図１７（ｂ）は、ＬＥＤ照明装置Ａ１３の部分拡大図である。なお、図１７（ｂ）の断面位置は図４（ｂ）と同一である。
【００８７】
本変形例のＬＥＤ照明装置Ａ１３は、第１係合部５２２および第２係合部６１２の形状が、先述したＬＥＤ照明装置Ａ１０と異なる。本変形例においては、第１係合部５２２は貫通した孔であり、かつ該孔の側面視形状は円形状である。また、第２係合部６１２の形状は主面６０１から窪んだ凹型状であり、かつ第２係合部６１２の側面視形状は円形状である。
【００８８】
本変形例によっても、ＬＥＤ照明装置Ａ１０と同様の作用効果を奏する。
【００８９】
〔第４変形例〕
図１８に基づき、本発明の第４変形例にかかるＬＥＤ照明装置Ａ１４について説明する。図１８（ａ）は、ＬＥＤ照明装置Ａ１４の側面図で、図１８（ｂ）は、ＬＥＤ照明装置Ａ１４の部分拡大図である。なお、図１８（ｂ）の断面位置は図４（ｂ）と同一である。
【００９０】
本変形例のＬＥＤ照明装置Ａ１４は、第１係合部５２２および第２係合部６１２の形状が、先述したＬＥＤ照明装置Ａ１０と異なる。本変形例においては、第１係合部５２２および第２係合部６１２の側面視形状は、ともに水平方向に延出した矩形状である。第１係合部５２２の形状は、枠体５の外側に突出した凸型状である。また、第２係合部６１２の形状は主面６０１から突出した凸型状であり、かつ第２係合部６１２は、支持片６０の幅全体にわたって形成されている。
【００９１】
本変形例によっても、ＬＥＤ照明装置Ａ１０と同様の作用効果を奏する。
【００９２】
〔第５変形例〕
図１９に基づき、本発明の第５変形例にかかるＬＥＤ照明装置Ａ１５について説明する。図１９（ａ）は、ＬＥＤ照明装置Ａ１５の側面図で、図１９（ｂ）は、ＬＥＤ照明装置Ａ１５の部分拡大図である。なお、図１９（ｂ）の断面位置は図４（ｂ）と同一である。
【００９３】
本変形例のＬＥＤ照明装置Ａ１５は、第１係合部５２２および第２係合部６１２の形状が、先述したＬＥＤ照明装置Ａ１０と異なる。本変形例においては、第１係合部５２２および第２係合部６１２の側面視形状は、ともに水平方向に延出した矩形状である。第１係合部５２２の形状は、枠体５の内側に窪んだ凹型状である。また、第２係合部６１２の形状は主面６０１から窪んだ凹型状であり、かつ第２係合部６１２は、支持片６０の幅全体にわたって形成されている。
【００９４】
本変形例によっても、ＬＥＤ照明装置Ａ１０と同様の作用効果を奏する。
【００９５】
〔第６変形例〕
図２０に基づき、本発明の第６変形例にかかるＬＥＤ照明装置Ａ１６について説明する。図２０（ａ）は、ＬＥＤ照明装置Ａ１６の側面図で、図２０（ｂ）は、ＬＥＤ照明装置Ａ１６の部分拡大図である。なお、図２０（ｂ）の断面位置は図４（ｂ）と同一である。
【００９６】
本変形例のＬＥＤ照明装置Ａ１６は、第１係合部５２２および第２係合部６１２の形状が、先述したＬＥＤ照明装置Ａ１０と異なる。本変形例においては、第１係合部５２２および第２係合部６１２の側面視形状は、ともに水平方向に延出した矩形状である。第１係合部５２２は、貫通した孔である。また、第２係合部６１２の形状は主面６０１から窪んだ凹型状であり、かつ第２係合部６１２は、支持片６０の幅全体にわたって形成されている。
【００９７】
本変形例によっても、ＬＥＤ照明装置Ａ１０と同様の作用効果を奏する。
【００９８】
本発明は、先述した実施形態やその変形例に限定されるものではない。本発明の各部の具体的な構成は、種々に設計変更自在である。
【符号の説明】
【００９９】
Ａ１０，Ａ１１，Ａ１２，Ａ１３，Ａ１４，Ａ１５，Ａ１６：ＬＥＤ照明装置
Ｂ：ＬＥＤユニット
１：ケース
１１：放熱部材
１１１：搭載面
１１２：フィン
１１３：係合部
１２：絶縁部材
１２１：凸部
１２２：溝部
１３：ピン
１４：口金
１５：中間ブラケット
２：ＬＥＤ発光部
２１：ＬＥＤ基板
２１１：基材
２１２：配線パターン
２２：ＬＥＤチップ
２３：ワイヤ
２４：封止樹脂
２５：堰部
２６：ホルダ
２６１：本体
２６２：保持電極
３：カバー
３１０：内側表面
３１１：内側凹面
３１２：内側環状面
３２０：外側表面
３４０：側面
３２：係合部
４：電源部
４１：電源基板
４２：電子部品
４８：ＬＥＤケーブル
４９：電源ケーブル
５：枠体
５１：開口部
５１１：フランジ
５２：側部
５２１：挿通孔
５２２：第１係合部
５３：底板部
５９：ソケット
６０：支持片
６０１：主面
６０２：裏面
６１：上端部
６１１：支持片挿通孔
６１２：第２係合部
６２：支点
６３：翼部
６４：下端部
６９：締結部材
７：端子部
７１：電力ケーブル
Ｃ：天井
【図１】
2017084518.tif 000003
【図２】
2017084518.tif 000004
【図３】
2017084518.tif 000005
【図４】
2017084518.tif 000006
【図５】
2017084518.tif 000007
【図６】
2017084518.tif 000008
【図７】
2017084518.tif 000009
【図８】
2017084518.tif 000010
【図９】
2017084518.tif 000011
【図１０】
2017084518.tif 000012
【図１１】
2017084518.tif 000013
【図１２】
2017084518.tif 000014
【図１３】
2017084518.tif 000015
【図１４】
2017084518.tif 000016
【図１５】
2017084518.tif 000017
【図１６】
2017084518.tif 000018
【図１７】
2017084518.tif 000019
【図１８】
2017084518.tif 000020
【図１９】
2017084518.tif 000021
【図２０】
2017084518.tif 000022